(57)【要約】【課題】ユニフォーム着用者にとって精度の高い最適なサイズを提案でき、かつ、ユニフォームのサイズ決定のためのコスト・手間等を軽減化できるユニフォーム・サイズ決定システムを提供する。【解決手段】サイズ決定装置（１０）を備えたユニフォーム・サイズ決定システム１であって、機械学習による学習結果を用いて算出されたユニフォーム着用者の採寸データに基づいて、前記ユニフォーム着用者の最適サイズを判定する判定部１０ｂと、前記判定部で判定された前記最適サイズを所定の通知先へ通知する通知部１０ｃとを有したサイズ決定装置を備えることを特徴とする。【選択図】図１
2020140398.tif 000002
【特許請求の範囲】
【請求項１】
機械学習による学習結果を用いて算出されたユニフォーム着用者の採寸データに基づいて、前記ユニフォーム着用者の最適サイズを判定する判定部と、前記判定部で判定された前記最適サイズを所定の通知先へ通知する通知部とを有したサイズ決定装置を備えることを特徴とするユニフォーム・サイズ決定システム。
【請求項２】
請求項１において、
前記サイズ決定装置に加え、
前記採寸データを算出する自動採寸サーバと、
前記最適サイズが通知されるユーザ端末とを備えることを特徴とするユニフォーム・サイズ決定システム。
【請求項３】
請求項１又は請求項２において、
前記採寸データは、前記ユニフォーム着用者の身長、体重、性別、年齢等の属性情報に基いて前記ユニフォーム着用者のヌード寸法が推定されることを特徴とするユニフォーム・サイズ決定システム。
【請求項４】
請求項１〜請求項３のいずれか１項において、
前記採寸データは、前記属性情報に加えて前記ユニフォーム着用者が任意の服を着用した状態の撮像データに基づいて推定されることを特徴とするユニフォーム・サイズ決定システム。
【請求項５】
請求項１〜請求項４のいずれか１項において、
前記判定部は、ユニフォーム仕様毎にジャケット、スカート等のアイテムに対応した各種サイズのサイズ表データが記憶されたサイズデータベースからユニフォーム仕様に対応した情報を抽出し前記最適サイズを判定することを特徴とするユニフォーム・サイズ決定システム。
【請求項６】
請求項１〜請求項５のいずれか１項において、
前記判定部は、前記ユニフォーム着用者の着心地の好み情報に基づいて、前記最適サイズを判定することを特徴とするユニフォーム・サイズ決定システム。
【請求項７】
請求項５又は請求項６において、
前記ユニフォーム仕様は、オリジナルに作成されたオーダーメイドユニフォームであることを特徴とすることを特徴とするユニフォーム・サイズ決定システム。
【請求項８】
請求項５又は請求項６において、
前記ユニフォーム仕様は、複数のメーカによって製造された既製のユニフォームであることを特徴とするユニフォーム・サイズ決定システム。
【請求項９】
請求項１〜請求項８のいずれか１項において、
前記ユニフォーム着用者が着用するユニフォームは、レンタルユニフォームであって、
前記最適サイズに基づいてレンタル申込みを受け付けることを特徴とするユニフォーム・サイズ決定システム。
【発明の詳細な説明】
【技術分野】
【０００１】
本発明は、ユニフォーム着用者にとって、より精度の高い最適サイズを提示することを可能としたユニフォーム・サイズ決定システムに関する。
【背景技術】
【０００２】
近年、カメラで撮影したユーザの身体撮像データに基づいて、被写体の体型を画像解析し、実寸法を算出しようとするシステム（例えば、特許文献１参照）や身長、体重、性別に加え、服のブランド等の入力情報に基づいてユーザに適正サイズを提示するシステム（例えば、特許文献２参照）が提案されている。
【先行技術文献】
【特許文献】
【０００３】
【特許文献１】特開２０１８−１６３０３１号公報
【特許文献２】特許第６３０９５５５号公報
【発明の概要】
【発明が解決しようとする課題】
【０００４】
ところで、企業や病院、レストラン、ホテル等では、働く人の職種に合わせてユニフォームが貸与等されたり、学校では生徒のためのユニフォームが決められているケースがよくみられる。このようなユニフォームを発注する際に、ユニフォームサイズの申告を、ユニフォーム着用者側に任せると、ユニフォーム着用者が自身の身体サイズを正しく把握していない等の理由により、提供されたユニフォームのサイズがユニフォーム着用者の身体サイズに合わない場合がある。そのような場合はユニフォームを交換しなければならず、サイズ交換に要するコスト（往復の配送費用、検品費用、クリーニング費用、入出庫料等）や手間が問題となる。
【０００５】
例えば、ユニフォームをレンタル・販売する会社では、サイズ交換に要するコストを削減したい要請がある。また社内でユニフォームの管理を担当する部署では、サイズ交換に関する事務負担を軽減したい要請があり、サイズ集計・発注が容易で効率のよいシステムの提案が求められている。一方、ユニフォーム着用者にとっても、このようなサイズ交換は手間である。かといって、サイズの合わないユニフォームの着用は不快であり、ユニフォーム着用者にとって最適なサイズのユニフォームを着用し最適なフィッティングによる着心地の向上を求めるのは、当然である。
もちろん、最適なサイズのユニフォームを得るには、実際にユニフォーム着用者自身を採寸すればよいことは言うまでもない。しかし、採寸器具の準備を要するとともに計測者による正確な採寸が求められる。またユニフォームのサイズ表は、素材や型等のユニフォーム仕様毎に異なるため、例えば同じ９号というサイズであっても、ユニフォーム仕様によっては、９号サイズが合わない場合もある。よって、たとえ採寸器具を使って正確な採寸ができたとしても、ユニフォーム仕様に対応していない簡易なサイズ表からサイズを認定してもそれが最適サイズとは言えない。またユニフォーム仕様にあわせたサイズ表を取り寄せて確認するにしても、手間が生じてしまう。
【０００６】
上記特許文献１及び上記特許文献２に開示されている内容は、いずれも、インターネット通販を利用する一般ユーザに対して、購入する前の段階で適正なサイズを知らせることを想定している。このような場合、提示される服のサイズは注文の際の目安となればよい。しかしながら、BtoBのユニフォーム市場では、サイズの選定はレンタル或いは購入契約後に行われることが一般的で、返品という選択肢がないため、ユニフォーム着用者のヌード寸法の採寸が容易で、精度の高い最適サイズの提案が求められる。
【０００７】
本発明は、このような問題を解決するため、ユニフォーム着用者にとって精度の高い最適なサイズを提示でき、かつ、ユニフォームのサイズ決定のためのコスト・手間等を軽減できるユニフォーム・サイズ決定システムを提供することにある。
【課題を解決するための手段】
【０００８】
上記目的を達成するために、本発明のユニフォーム・サイズ決定システムは、人工知能が機械学習によって取得したパターンにしたがって算出されたユニフォーム着用者の採寸データに基づいて、前記ユニフォーム着用者の最適サイズを判定する判定部と、前記判定部で判定された前記最適サイズを所定の通知先へ通知する通知部とを有したサイズ決定装置を備えることを特徴とする。
【発明の効果】
【０００９】
本発明のユニフォーム・サイズ決定システムは上述した構成とされているため、ユニフォーム着用者にとって精度の高い最適なサイズのものを提案でき、かつ、ユニフォームのサイズ決定のためのコスト・手間等を軽減できる。
【図面の簡単な説明】
【００１０】
【図１】本発明の一実施形態に係るユニフォーム・サイズ決定システムのシステム系統図である。
【図２】（ａ）は同実施形態におけるサイズ決定サーバのブロック図であり、（ｂ）は同実施形態におけるユーザ端末のブロック図である。
【図３】同実施形態における自動採寸サーバのブロック図である。
【図４】同実施形態におけるユニフォーム・サイズ決定システムの基本動作の一例を示す概略フローチャートである。
【図５】（ａ）〜（ｃ）は同実施形態におけるユーザ端末の表示画面の一例である。
【図６】（ａ）〜（ｄ）は同実施形態におけるユーザ端末の表示画面の一例である。
【図７】（ａ）及び（ｂ）は同実施形態における最適サイズ判定処理の動作例を示す概略フローチャートである。
【図８】（ａ）及び（ｂ）は同実施形態における最適サイズ判定処理での変換ルールの説明図である。
【発明を実施するための形態】
【００１１】
以下に、本発明の実施の形態について、添付図面を参照しながら説明する。まず、本サイズ決定システム１の概略のシステム構成について記述する。
【００１２】
＜ユニフォーム・サイズ決定システム＞
本実施形態におけるユニフォーム・サイズ決定システム１（以下、サイズ決定システム１と略す）は、ユニフォーム着用者やユニフォーム管理者に、最適サイズを提案可能としたシステムである。本実施形態では、素材、型（デザイン）等のユニフォーム仕様がすでにオーダーメイドされ、ユニフォーム仕様が確定しているユニフォームをレンタルするケースについて説明する。
【００１３】
図１に示すように本実施形態のサイズ決定システム１は、サイズ決定サーバ１０と、インターネット等の通信ネットワークを介して接続可能とされたユーザ端末２０と、人工知能が搭載された自動採寸サーバとで構成され、セキュアな環境下でインターネット３（通信ネットワーク）を介して相互に通信自在とされる。通信ネットワークとしてはインターネット３の他、パケット通信網、電話回線、それらの組み合わせ等、特に限定されず、有線、無線は問わない。
【００１４】
＜サイズ決定サーバ（サイズ決定装置）＞
図２（ａ）はサイズ決定サーバ１０の構成例を示すブロック図である。サイズ決定サーバ１０は、コンピュータ等の情報処理装置により構成されるクライアントサーバであり、サーバコンピュータであってもよいし、クラウドサーバであってもよい。またサイズ決定サーバ１０は、単一であってもよいし、複数台で構成されるものであってもよく、専用、汎用は問わない。サイズ決定サーバ１０は、制御部１０ａと、判定部１０ｂと、通知部１０ｃと、送受信部１０ｄと、表示画面生成部１０ｅと、記憶部１０ｆとを備える。制御部１０ａはＣＰＵとメモリを備え、ＣＰＵがメモリに格納された所定のプログラムを実行することで、各種処理が実行される。判定部１０ｂは、後記する自動採寸サーバ３０で算出された採寸データに基づいて、ユニフォーム着用者の最適サイズを判定するマッチング処理を実行する。通知部１０ｃは、判定部１０ｂが判定した最適サイズを所定の通知先を判別して通知する。ここではユーザ端末２０に通知する例を説明するが自動採寸サーバ３０等、所定のサーバに通知し、機械学習のためのデータとして蓄積させてもよい。送受信部１０ｄはユーザ端末２０や自動採寸サーバ３０等とのデータの送受信を実行する。表示画面生成部１０ｅは、判定部１０ｂで判定された最適サイズ等を提示する表示データを生成する。記憶部１０ｆは、ＲＯＭ、ＲＡＭ等のメモリやＨＤＤで構成される。記憶部１０ｆには、ユニフォーム着用者にとっての最適サイズを判定する判定処理実行に必要な各種プログラムが記憶される。記憶部１０ｆは、ユーザデータベース１１とサイズデータベース１２とを少なくとも備える。ユーザデータベース１１には、ユーザ情報が記憶されている。サイズデータベース１２には、ユニフォーム仕様毎にジャケット、スカート等のアイテム（ユニフォーム種別）に対応した各種サイズのサイズ表データ等が記憶されている。ユーザデータベース１１には、マタニティのサイズデータが記憶されてもよく、サイズデータベース１２に記憶されているサイズ表データは、判定部１０ｂによる最適サイズ判定処理の際に参照される。
【００１５】
＜ユーザ端末＞
図２（ｂ）はユーザ端末２０の構成例を示すブロック図である。ユーザ端末２０としては、図１に示すようなスマートフォンやノートパソコンの他、タブレット端末、携帯電話機等、インターネット３を介してサイズ決定サーバ１０や自動採寸サーバ３０とデータの授受が可能なあらゆる端末装置が利用できる。すなわち、ユーザ端末２０は、ユーザ側の情報処理装置のことであり、本実施形態ではユニフォーム着用者が所有するスマートフォンやユニフォームの管理や発注を行う部署等に設置されるパーソナルコンピュータが想定される。ユーザ端末２０は、制御部２０ａと、送受信部２０ｂと、記憶部２０ｃと、表示部２０ｄと、カメラ２０ｅと、操作部２０ｆとを備える。制御部２０ａはＣＰＵとメモリを備え、ＣＰＵがメモリに格納された所定のプログラムを実行することで、各種処理が実行される。送受信部２０ｂはサイズ決定サーバ１０や自動採寸サーバ３０等とのデータの送受信を実行する。記憶部２０ｃは、ＲＯＭ、ＲＡＭ等のメモリやＨＤＤで構成される。表示部２０ｄは、ユーザ端末２０、サイズ決定サーバ１０や自動採寸サーバ３０等による処理結果を表示するためのユーザインターフェースである。カメラ２０ｅは、静止画や動画を撮影できる装置である。操作部２０ｆはユーザによる操作を受け付けるユーザインターフェースである。ここではカメラ２０ｅを備えたユーザ端末２０で撮影したユニフォーム着用者の撮像データを採寸データの算出に利用する例を説明するが、別途カメラ等で撮影された撮像データを利用する例を除外するものではない。
【００１６】
＜自動採寸サーバ＞
図３は自動採寸サーバ３０の構成例を示すブロック図である。自動採寸サーバ３０は、精度の高い最適データを提示するための制御部の一例といえ、ここではサイズ決定サーバ１０とは別に設けられた例を説明するが、サイズ決定サーバに組み込まれて構成してもよい。機械学習が可能なプロセッサ（ＣＰＵ、ＧＰＵやＧＰＧＰＵ等）が搭載されたサーバが望ましく、サーバコンピュータであってもよいし、クラウドサーバであってもよい。また自動採寸サーバ３０は、単一であってもよいし、複数台で構成されるものであってもよい。さらにここでは自動採寸サーバ３０にアクセストークンを発行する認可サーバを備えた例を説明するが、認可サーバを別途設けてもよい。
【００１７】
自動採寸サーバ３０は、ユニフォーム着用者の精密なヌード寸法を採寸データとして算出する情報処理装置である。自動採寸サーバ３０は、制御部３０ａと、受信部３０ｂと、送信部３０ｃと、採寸データ算出部３０ｄと、記憶部３０ｅとを備える。制御部３０ａは上述のプロセッサとメモリを備え、プロセッサがメモリに格納された所定のプログラムを実行することで、各種処理が実行される。受信部３０ｂ及び送信部３０ｃは、サイズ決定サーバ１０やユーザ端末２０等とのデータの送受信を実行する。記憶部３０ｅは、ＲＯＭ、ＲＡＭ等のメモリやＨＤＤ、ＳＤＤ等で構成される。
【００１８】
採寸データ算出部３０ｄは、多層構造のニューラルネットワークを用いた機械学習によりユニフォーム着用者の属性情報、撮像データ等を入力として、属性情報・画像解析が実行され、高精度にユニフォーム着用者の採寸データを算出する。本実施形態では、ユニフォーム着用者の属性情報と撮影データとに基づき、採寸データを算出する例を説明するが、これに限定されず、属性情報のみから算出してもするものであってもよい。またユニフォーム着用者の属性情報としては、身長、体重、性別、年齢に限定されず、その他、普段着用している服のサイズや好みの服のブランド、過去数年の体重の増減情報、自己の体質情報（太りやすい等）等を含ませてもよい。自動採寸サーバ３０で算出される採寸データとしては、バスト、ウエスト、ヒップの他、首回り、肩幅、胴回り等１０か所以上のヌード寸法の得ることができるが、これに限定されず、さらに詳細なデータを得ることができるよう設定してもよい。よって例えばユニフォームとして、帽子やシューズも貸与される場合は、頭寸法、足の寸法について詳細な寸法を得られる設定としてもよい。さらに機械学習における学習データとしては、幼児層〜シニア層といった年齢・性別を問わないデータが使用されるものとしてもよい。またレンタルユニフォーム市場の適用を想定すれば、業種、職種、地位等によって細分化したデータから推論プログラムを生成し、これを自動採寸サーバ３０での算出に適用してもよい。
【００１９】
本実施形態で説明する自動採寸サーバ３０は、あくまで一例であって、要は、従来のように採寸器具を用いることなく、属性情報等に基づいて、ユニフォーム着用者のヌード寸法を高精度に算出できるものであればよい。撮像データとして使用する写真データ（画データ）は、ユニフォーム着用者がどのような服を着ていても、服を着たままで正確な採寸データを得ることができるもの、身体撮影場所は屋内・屋外ともに制約がなく、背景に対する許容度が高いもの、背中が丸まっている状態、肩の位置がずれている状態等、撮影姿勢に対する許容度が高いもの、採寸データの算出のため、必要となる撮像データ量（写真データであれば、２枚等）が少ない構成のものが望ましい。
【００２０】
＜ユニフォーム・サイズ決定システムの基本フロー＞
次に図４〜図６を参照しながら、サイズ決定システム１の基本動作の一例を説明する。
ここではユニフォーム着用者自身が所有するユーザ端末２０（スマートフォンを想定）に専用のアプリケーションソフトウエアがインストールされており、そこからサイズ決定サーバ１０にアクセスし、最適サイズを得るまでを説明するが、これにもちろん限定されない。ユニフォームを管理する管理者がユーザ端末２０（パソコンを想定）からインターネット３を通じてサイズ決定サーバ１０が提供するポータルサイト等からサイズ決定サーバ１０にアクセスしてもよい。またここでは、会社コード、ユーザＩＤがすでに発行されパスワード設定も完了している例について説明するが、ユーザＩＤを発行・登録する処理は別途行われることは言うまでもない。
【００２１】
まずユニフォーム着用者は、ユーザ端末２０にインストールされたアプリケーションを起動させる。会社コード・ユーザＩＤ・パスワードを入力する画面が表示されたら（Ｓ１０１・図５（ａ））、所定のこれらログイン情報を入力し、送信する。サイズ決定サーバ１０では認証処理が実行される（Ｓ１０２）。サイズ決定サーバ１０は、自動採寸サーバ３０にアクセストークンの取得を依頼し（Ｓ１０２）、自動採寸サーバ３０では生成・取得したアクセストークンをサイズ決定サーバ１０に配布する（Ｓ１０３、Ｓ１０２）。一連の認証処理が完了したら表示画面が生成され（Ｓ１０４）、認証結果がユーザ端末２０へ送信される。
【００２２】
ユニフォーム着用者は、認証完了表示を確認し（Ｓ１０５）、画面を進めると撮影画面が表示される（Ｓ１０６・図５（ｂ））。所定のルールに沿って、ユーザ端末２０のカメラ２０ｅを起動しユニフォーム着用者の撮影を行い、撮像データの取り込みを行う。続いて属性情報の入力を行う（Ｓ１０７・図５（ｃ））。属性情報としては、身長、体重、性別、これに加えて、着心地の好みを入力する。図５（ｃ）の表示部２０ｄには、属性情報の入力画面と同時に取り込んだ撮像データが表示される。そして「送信」ボタンを操作すると、採寸オーダーリクエストが生成され（Ｓ１０８）、属性情報とともに撮像データを受信した自動採寸サーバ３０の採寸データ算出部３０ｄは、機械学習によって取得したパターンにしたがって、採寸データを算出する（Ｓ１０９）。算出された採寸データを、サイズ決定サーバ１０に送信し、サイズ決定サーバ１０の判定部１０ｂではユニフォーム仕様に応じた最適サイズを判定する（Ｓ１１０）。そして最適サイズ表示画面を生成し（Ｓ１１１）、ユーザ端末２０に最適サイズを通知し、ユーザ端末２０では、最適サイズが表示される（Ｓ１１２・図７（ａ））。
なお、アクセストークンのフローは、初回のみに発生し、初回から一定期間内にアクセスがあれば、Ｓ１０３のフローは省略される。
【００２３】
以上によれば、採寸用具によらず、またプロに採寸を依頼してなくても、衣服を着たままでユニフォーム着用者のヌード寸法を容易に得ることができる。また機械学習によって得られる採寸データに基づいてユニフォーム着用者の最適サイズを得ることもできるので、ユニフォーム仕様によって異なるサイズ表をその都度、確認する必要がなくなる。そしてこの最適サイズの情報に基づいてユニフォームの発注を行えば、ユニフォーム着用者にとって、最適なサイズのユニフォームが届くことになる。よって、サイズ交換の発生を低減させることができるので、サイズ交換にまつわるコスト・手間等を軽減化できる。またサイズ決定システム１を導入することで、コスト・手間等が軽減できるので、サービスの向上、差別化も図ることができる。
【００２４】
＜表示部での表示画面について＞
図５及び図６には、ユーザ端末２０の表示部２０ｄの一例を種々示している。なお、図５（ａ）〜（ｃ）、図６（ａ）〜（ｄ）に示す表示部２０ｄの表示例は説明のために示す一例であって、これに限定されるものではない。
図５（ａ）には、ログイン画面の表示例を示している。ここでは、ユニフォーム仕様の素材、型（デザイン）がすでにオーダーメイドされ、ユニフォーム仕様が確定しているユニフォームをレンタルするケースを想定しているため、ユニフォーム仕様と、会社コードとユーザIDとが紐付けされている。よって、会社コードを入力すれば、ユニフォーム仕様を特定することができる。
【００２５】
図５（ｂ）には、撮影画面の表示例を示している。ここには、正面を向いた人型の枠が表示されるので、ユニフォーム着用者を撮影する際にこの枠内にほぼ収まるように撮影すればよい。このように撮影時の目安となる枠が表示されていると、撮影時の向き、大きさを誤ることなく、スムーズな撮影を行うことができる。
【００２６】
図５（ｃ）には、属性情報の入力画面の表示例を示している。身長、体重、性別、着心地（ゆったり、ジャスト、タイトから選択）と順に入力できるようになっており、採寸リクエストして送信する写真も表示されるようになっている。この入力画面には、これらの他、性別欄に女性であることが入力され、マタニティユニフォームの提供がある会社の場合は、妊娠中であるか否かの選択項目が追加される態様であってもよい。
【００２７】
図６（ａ）には、最適サイズの通知表示例を示している。ここに表示されるジャケット、ブラウス、スカート等といったユニフォームアイテム（ユニフォーム種別）は、会社コードに紐付けされた内容であり、提案するユーザによって異なる。よって、例えばベストの着用が求められる企業においては、ここにベストのサイズも自動的に表示される。
またここには、「申込画面」へ遷移する操作部２０ｆが表示される態様になっている。このように、最適サイズが通知された後、レンタルの申込みができる構成としてもよい。もしくは、企業等の場合、このあと、ユニフォーム管理を行う部署へ通知する画面へ遷移する構成としてもよい。この場合、サイズ集計のフォーム等と連動させれば、サイズ集計の手間も削減することができる。
【００２８】
図６（ｂ）には、最適サイズを判定した結果、特別注文になることを通知する表示例を示している。サイズ決定サーバ１０ではサイズデータベース１２を参照してユニフォーム仕様に対応した情報が抽出されるが、採寸データがサイズ表に適合しない場合が生じる。この場合は、特別注文により、ユニフォームを発注する必要があるので、図６（ｂ）に示すような「特別注文になります。○○○までお問い合わせください。」といったメッセージを表示するようにしてもよい。○○○には、ユニフォームの管理を行う部署名や担当者名としてもよいし、ユニフォーム業者に直接連絡する態様としてもよい。
【００２９】
図６（ｃ）は最適サイズの通知を受けた後のユニフォーム選択画面の表示例である。図６（ａ）から申込画面へ遷移した際の画面表示の一例とみることもできる。
この画面では、会社コードに基づいて、展開されるユニフォームの例えば、ジャケットの色、スカーフのデザイン（ネクタイか、リボンか等）、スカートの枚数をプルダウンメニューから選べる態様となっている。
【００３０】
図６（ｄ）は採寸データの表示例である。図４に示すフローチャートでは、ユーザ端末２０には、採寸データ（ユニフォーム着用者のヌード寸法）は通知されない例について説明しているが、これに限定されず、採寸データ算出処理の後（Ｓ１０９）に採寸データをユーザ端末に通知するようにしてもよい。また通知された内容は、ユーザ端末２０に保存できる構成としてもよい。
【００３１】
＜最適サイズの判定処理：ユニフォーム仕様の特定について＞
次に図７（ａ）、図７（ｂ）を参照しながら、最適サイズの判定処理のユニフォーム仕様の特定について、さらに説明する。
図７（ａ）は、上述してきたユニフォーム仕様の素材、型（デザイン）がすでにオーダーメイドされ、ユニフォーム仕様が確定しているユニフォームに関し、最適サイズを判定するフローチャートの一例である。
会社コードからユニフォーム仕様を特定し（Ｓ２０１）、サイズデータベース１２に記憶されている特定されたユニフォーム仕様に対応するサイズ表を抽出し、さらに対応するアイテムのサイズデータを抽出する（Ｓ２０２）。そして変換ルールに従って採寸データに基づき、最適サイズを判定する（Ｓ２０３）。
なお、ここでいう変換ルールは、採寸データを最適サイズデータに変換するためのルールをいい、図８を参照しながら、後述する。
【００３２】
以上によれば、オーダーメイドユニフォームの最適サイズが容易に特定でき、最適サイズが判定されるので、この後、ユニフォーム管理システムと連動させれば、サイズ集計を容易に行うことができる。またサイズ決定・システムと既存のユニフォーム管理システムと連動させれば、社内での人事異動・汚損・破損等によりユニフォームの変更・交換が必要な場合にも事務管理等の手間を大幅に低減することができる。
【００３３】
図７（ｂ）は、オーダーメイドのユニフォームではなく、複数のメーカによって製造された既製のものから選んだユニフォームに関し、最適サイズを判定するフローチャートの一例である。この場合は、ユーザ認証完了後（例えば図４・Ｓ１０５）から採寸オーダーリクエストまでに（例えば図４・Ｓ１０５〜図Ｓ１０８）、複数のメーカによって製造された既製のユニフォームを選択自在としたカタログ閲覧と選択できるフローが追加される。
品番等、選択したコードからユニフォーム仕様を特定し（Ｓ３０１）、サイズデータベース１２に記憶されている特定されたユニフォーム仕様に対応するサイズ表を抽出し、さらに対応するアイテムのサイズデータを抽出する（Ｓ３０２）。そして変換ルールに従って採寸データに基づき、最適サイズを判定する（Ｓ３０３）。
【００３４】
この場合、サイズデータベース１２には、複数のメーカのユニフォーム仕様に対応した品番とこれに対応するアイテム、サイズ等が記憶されるとともに、随時更新できる構成となっている。
また複数のメーカで製造された既製のユニフォームの中から選択するため、ユニフォーム仕様の情報は、例えばメーカごとに区別されたカタログからユニフォームを選択できる構成であってもよいし、職種ごとに区別されたカタログからユニフォームを選択できる構成であってもよい。
【００３５】
上述したようにサイズデータベース１２には、複数のアパレルメーカのユニフォーム仕様に対応するアイテム、品番、サイズ等のサイズ表が登録されるため、例えばこのサイズ決定システム１に参画したいアパレルメーカは、ユニフォーム仕様に対応するアイテム、品番、サイズ等のサイズデータの登録が必要となる。
以上によれば、ユニフォーム着用者や企業等にとって好みのアパレルメーカの商品の中から好みのユニフォームを選ぶことができる。
【００３６】
＜最適サイズの判定処理：採寸データから最適サイズへの変換ルールについて＞
次に図８（ａ）及び図８（ｂ）を参照しながら、最適サイズの判定処理：採寸データから最適サイズへの変換ルールについて、さらに説明する。
自動採寸サーバ３０で算出された採寸データから最適サイズを判定する際の変換ルールは、ユニフォーム仕様に基づきアイテムごとに設けられ、採寸データを個別に重みづけして数値データ化し、その数値データから最適サイズを判定する。
具体的には、ユニフォーム仕様に対応したアイテムより抽出され、アイテムに対応するサイズデータは、たとえばジャケットの場合、バスト、肩幅、袖丈、着丈といった寸法種別の採寸データから判定できる構成としてもよいし、より詳細な採寸データから、より細かい判定基準で判定をしてもよい。
【００３７】
図８（ａ）及び図８（ｂ）には、バスト、肩幅、袖丈、着丈に加え、首回り、胴回り、裾回りの採寸データから、最適サイズを判定しようとするものである。下記区分化は一例であって、この手法に限定されるものではない。また下記では重みづけの手法を簡略化して述べているにすぎず、閾値やアルゴリズム等は下記に限定されてるものでもない。
バスト、肩幅、袖丈、着丈といった寸法種別ごとに、その寸法（採寸データの値）によって、複数に区分化されている。具体的には、寸法閾値に応じて、つぎのような区分が規定されている。
バスト・・・３区分（１〜３）
肩幅・・・３区分（１〜３）
袖丈・・・３区分（１〜３）
着丈・・・４区分（１〜４）
首回り・・・３区分（１〜３）
胴回り・・・３区分（１〜３）
裾回り・・・４区分（１〜４）
上記（  ）内の数値は、寸法におうじた区分値であり、採寸データと寸法閾値との比較により得られる。
【００３８】
図８（ａ）に示すようなユニフォームの場合、図８（ｂ）に比べてウエストを絞ったデザインであるため、採寸データから得た区分値を経て数値データに変換するうえで、胴回りと裾回りを重視し、首回りと着丈の重みづけを軽くするように行ってもよい。
例えばより具体的には、袖丈、胴回りの区分値は２倍（図８（ａ）の○印）し、着丈、首回りの区分値は０．５倍（図８（ａ）の△印）し、他の区分値はそのまま利用し、それらを合算し、数値データを算出する。既定サイズの例えばＳ、Ｍ、Ｌ、ＬＬ、３Ｌはあらかじめ閾値化されており、算出された数値データと既定サイズ閾値を比較し、サイズデータを決定する。
【００３９】
具体的には、各区分値が
首回り：２、肩幅：３、胸回り：２、胴回り：４、裾回り：３、着丈：４、裄丈：３であれば、数値データは、２×０．５＋３＋２＋４×２＋３＋４×０．５＋３×２＝２５となる。
【００４０】
Ｓ、Ｍ、Ｌ、ＬＬ、３Ｌの既定サイズ閾値を
Ｓ＜１６
１６≦Ｍ＜２０
２０≦Ｌ＜２４
２４≦ＬＬ＜２６
２６≦３Ｌ
とするならば、上記数値データは２５であるから、最適サイズはＬＬであると決定される。
【００４１】
図８（ｂ）も同様に、寸法種別ごとに重みづけがされており、それに従って数値データが算出され、その数値データと既定サイズ閾値との比較によりサイズデータが決定される。図８（ｂ）のユニフォームは、裾回りはゆったりで、袖は七分であるため、裾回りと袖丈の重みづけを軽く（０．５倍（図８（ｂ）の△印））行うようにしてもよく、この手法は着心地（ゆったり、ジャスト、タイト等）を考慮した最適サイズの判定を行う際にも適用できる。
【００４２】
このように、サイズ決定コンピュータ１０では、ユニフォーム仕様によりサイズデータへの変換ルールが定められている。具体的には、変換ルールは、プログラム・コードや、それらを振り分けるためのコントロール・データなどで規定されればよい。また、変換ルールが、プログラム・コードのみで構成されてもよい。また、変換ルールは、上述の図８に示したものには限られず、アパレルメーカやスポーツメーカ等のメーカ、或いはブランド毎に種々に異なるアルゴリズムであってもよい。また、サイズデータは、既定サイズであるＳ、Ｍ、Ｌ、ＬＬ、３Ｌに限られず、ＸＳ、Ｓ、Ｍ、Ｌ、ＸＬといった国際基準に沿ったもの、５号、９号・・・といったＪＩＳ規格に沿ったもの、スポーツウエアの規格（ＪＡＳＰＯ等）に沿ったもの、アメリカやイギリス等のインチに沿ったもの、年代、性別によって分けたもの等、あらゆるサイズに対応可能に構成される。
【００４３】
以上、サイズ決定システム１の構成は上述の実施形態に限定されるものではない。例えばサイズ決定サーバ１０は、ユニフォーム提供会社等が運用、管理してもよいし、委託会社が運用、管理するものであってもよい。またサイズ決定コンピュータ１０の構成自体をソフトウエアとし、ユーザ端末２０にインストールできる構成としてもよいし、ユニフォームの発注が可能な店舗等に設置される端末にインストールする構成としてもよい。さらにユーザ端末２０への通知はアプリケーションを通じて行うものでもよいし、登録するメールアドレスに通知する態様としてもよい。
【符号の説明】
【００４４】
１          ユニフォーム・サイズ決定システム（サイズ決定システム）
３          通信ネットワーク（インターネット）
１０        サイズ決定装置（サイズ決定サーバ）
１０ｂ      判定部
１０ｃ      通知部
１２        サイズデータベース
２０        ユーザ端末
２０ｅ      カメラ
３０        自動採寸サーバ
３０ｄ      採寸データ算出部
【図１】
2020140398.tif 000003
【図２】
2020140398.tif 000004
【図３】
2020140398.tif 000005
【図４】
2020140398.tif 000006
【図５】
2020140398.tif 000007
【図６】
2020140398.tif 000008
【図７】
2020140398.tif 000009
【図８】
2020140398.tif 000010
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
機械学習による学習結果を用いて算出されたユニフォーム着用者の採寸データに基づいて、前記ユニフォーム着用者が着用するユニフォームの最適サイズを判定する判定部と、前記判定部で判定された前記最適サイズを所定の通知先へ通知する通知部とを有したサイズ決定装置を備え、
複数の前記ユニフォーム着用者の前記最適サイズに基づいて、少なくとも前記ユニフォームのサイズ集計、発注を行うシステムと連動することを特徴とするユニフォーム・サイズ決定システム。
【請求項２】
請求項１において、
前記サイズ決定装置に加え、
前記採寸データを算出する自動採寸サーバと、
前記最適サイズが通知されるユーザ端末とを備えることを特徴とするユニフォーム・サイズ決定システム。
【請求項３】
請求項１又は請求項２において、
前記採寸データは、前記ユニフォーム着用者の身長、体重、性別、年齢等の属性情報に基いて前記ユニフォーム着用者のヌード寸法が推定されることを特徴とするユニフォーム・サイズ決定システム。
【請求項４】
請求項３において、
前記採寸データは、前記属性情報に加えて前記ユニフォーム着用者が任意の服を着用した状態の撮像データに基づいて推定されることを特徴とするユニフォーム・サイズ決定システム。
【請求項５】
請求項１〜請求項４のいずれか１項において、
前記判定部は、ユニフォーム仕様毎にジャケット、スカート等のアイテムに対応した各種サイズのサイズ表データが記憶されたサイズデータベースからユニフォーム仕様に対応した情報を抽出し前記最適サイズを判定することを特徴とするユニフォーム・サイズ決定システム。
【請求項６】
請求項５において、
前記通知部は、前記サイズ表データと前記採寸データとが適合しないとき、特別注文になる旨を通知することを特徴とするユニフォーム・サイズ決定システム。
【請求項７】
請求項５又は請求項６において、
前記ユニフォーム仕様は、オリジナルに作成されたオーダーメイドユニフォームもしくは、複数のメーカによって製造された既製のユニフォームであることを特徴とするユニフォーム・サイズ決定システム。
【請求項８】
請求項１〜請求項７のいずれか１項において、
前記判定部は、前記ユニフォーム着用者の着心地の好み情報に基づいて、前記最適サイズを判定することを特徴とするユニフォーム・サイズ決定システム。
【請求項９】
請求項１〜請求項８のいずれか１項において、
前記ユニフォームは、レンタルもしくは購入されるユニフォームであって、
前記最適サイズに基づいてレンタルもしくは購入の申込みを受け付けることを特徴とするユニフォーム・サイズ決定システム。
【請求項１０】
請求項１〜請求項９のいずれか１項において、
前記採寸データは、前記ユニフォーム着用者のヌード寸法であり、
前記通知部は、前記採寸データを所定の通知先へ通知することを特徴とするユニフォーム・サイズ決定システム。
【手続補正２】
【補正対象書類名】明細書
【補正対象項目名】０００８
【補正方法】変更
【補正の内容】
【０００８】
上記目的を達成するために、本発明のユニフォーム・サイズ決定システムは、機械学習による学習結果を用いて算出されたユニフォーム着用者の採寸データに基づいて、前記ユニフォーム着用者が着用するユニフォームの最適サイズを判定する判定部と、前記判定部で判定された前記最適サイズを所定の通知先へ通知する通知部とを有したサイズ決定装置を備え、複数の前記ユニフォーム着用者の前記最適サイズに基づいて、少なくとも前記ユニフォームのサイズ集計、発注を行うシステムと連動することを特徴とする。
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
ユニフォーム着用者の所属先端末を含むユーザ端末と、
前記ユーザ端末でユニフォーム着用者毎に生成されたデータをもとに機械学習による学習結果を用いて採寸データを算出する自動採寸サーバと、
前記採寸データに基づいて、前記ユニフォーム着用者の所属先と一意に紐づけられたユニフォーム仕様に対応したジャケット、スカート等のアイテム毎の最適サイズを判定する判定部と、前記判定部で判定された前記最適サイズを所定の通知先へ通知する通知部と、前記アイテムに対応した各種サイズのサイズ表データが記憶されたサイズデータベースとを有したサイズ決定装置とを備え、
前記判定部は、前記サイズデータベースから、前記ユニフォーム着用者毎に指定された当該ユニフォーム仕様に対応した情報を抽出して前記アイテム毎に前記最適サイズを判定する構成とされ、
前記所定の通知先は、前記所属先端末であり、
前記所属先端末は、複数の前記ユニフォーム着用者の前記最適サイズに基づいて、少なくとも前記アイテム毎のサイズ集計、発注を行う構成とされていることを特徴とするユニフォーム・サイズ決定システム。
【請求項２】
請求項１において、
前記所定の通知先は、ユニフォーム着用者自身が所有する端末であることを特徴とするユニフォーム・サイズ決定システム。
【請求項３】
請求項１又は請求項２において、
前記採寸データは、前記ユニフォーム着用者の身長、体重、性別、年齢等の属性情報に基いて前記ユニフォーム着用者のヌード寸法が推定されることを特徴とするユニフォーム・サイズ決定システム。
【請求項４】
請求項３において、
前記採寸データは、前記属性情報に加えて前記ユニフォーム着用者が任意の服を着用した状態の撮像データに基づいて推定されることを特徴とするユニフォーム・サイズ決定システム。
【請求項５】
請求項１〜請求項４のいずれか１項において、
前記通知部は、前記サイズ表データと前記採寸データとが適合しないとき、特別注文になる旨を通知することを特徴とするユニフォーム・サイズ決定システム。
【請求項６】
請求項１〜請求項５のいずれか１項において、
前記ユニフォーム仕様は、オリジナルに作成されたオーダーメイドユニフォームもしくは、複数のメーカによって製造された既製のユニフォームであることを特徴とするユニフォーム・サイズ決定システム。
【請求項７】
請求項１〜請求項６のいずれか１項において、
前記判定部は、前記ユニフォーム着用者の着心地の好み情報に基づいて、前記最適サイズを判定することを特徴とするユニフォーム・サイズ決定システム。
【請求項８】
請求項１〜請求項７のいずれか１項において、
前記ユニフォームは、レンタルもしくは購入されるユニフォームであって、
前記所属先端末は、前記最適サイズに基づいてレンタルもしくは購入の申込みを行う構成とされていることを特徴とするユニフォーム・サイズ決定システム。
【請求項９】
請求項１〜請求項８のいずれか１項において、
前記採寸データは、前記ユニフォーム着用者のヌード寸法であり、
前記通知部は、前記採寸データを前記所定の通知先へ通知することを特徴とするユニフォーム・サイズ決定システム。
【手続補正２】
【補正対象書類名】明細書
【補正対象項目名】０００８
【補正方法】変更
【補正の内容】
【０００８】
上記目的を達成するために、本発明のユニフォーム・サイズ決定システムは、ユニフォーム着用者の所属先端末を含むユーザ端末と、前記ユーザ端末でユニフォーム着用者毎に生成されたデータをもとに機械学習による学習結果を用いて採寸データを算出する自動採寸サーバと、前記採寸データに基づいて、前記ユニフォーム着用者の所属先と一意に紐づけられたユニフォーム仕様に対応したジャケット、スカート等のアイテム毎の最適サイズを判定する判定部と、前記判定部で判定された前記最適サイズを所定の通知先へ通知する通知部と、前記アイテムに対応した各種サイズのサイズ表データが記憶されたサイズデータベースとを有したサイズ決定装置とを備え、前記判定部は、前記サイズデータベースから、前記ユニフォーム着用者毎に指定された当該ユニフォーム仕様に対応した情報を抽出して前記アイテム毎に前記最適サイズを判定する構成とされ、前記所定の通知先は、前記所属先端末であり、前記所属先端末は、複数の前記ユニフォーム着用者の前記最適サイズに基づいて、少なくとも前記アイテム毎のサイズ集計、発注を行う構成とされていることを特徴とする。